(57)【要約】【課題】  少量のレンズ付きフィルムユニットを製造するのに適したレンズ付きフィルムユニット容器へのフィルム装填装置を提供する。【解決手段】  基台、基台の上面の後方に配置されたフィルム装填部、基台の上面に前後に伸びるように配置されたレール部、レール上部に摺動可能に係合している支柱、支柱の上部に固定されたパトローネ仮固定装置、一方の端部がハンドル部を形成し、他方の端部が支柱の上部に回転可能に軸支されて、基台の左右に伸びている主レバー、主レバーの該軸支部とハンドル部との中間位置に固定されたフィルム巻き取り装置、主レバーの該軸支部と同軸に一方の端部が軸支固定されたカムフォロア、そして基台の上面の側部に前後に伸びて配置されたカムフォロアの他方の端部を起点から、基台に沿って前方から後方へ、後方下側から後方上側へ、そして後方上側から前方下側へとの帰還移動が可能なように案内するカム通路部を含むフィルム装填装置。【選択図】        図２ 
2005196037.tif 000002
【特許請求の範囲】
【請求項１】
基台、基台の上面の後方に配置された、レンズ付きフィルムユニット容器を仮収容し、該容器に、パトローネとパトローネから引き出されたフィルムロールとを装填するフィルム装填部、基台の上面に前後に伸びるように配置されたレール部、レール上部に摺動可能に係合している支柱、支柱の上部に固定されたパトローネ仮固定装置、一方の端部がハンドル部を形成し、他方の端部が、支柱の上部に回転可能に軸支されて、基台の左右に伸びている主レバー、主レバーの該基部とハンドル部との中間位置に固定されたフィルム巻き取り装置、主レバーの該軸支部と同軸に一方の端部が軸支固定されたカムフォロア、そして基台の上面の側部に前後に伸びて配置された、カムフォロアの他方の端部を、起点から、基台に沿って前方から後方へ、後方下側から後方上側へ、そして後方上側から前方下側へとの帰還移動が可能なように案内するカム通路部を含むレンズ付きフィルムユニット容器へのフィルム装填装置。
【請求項２】
基台の上面が、前方から後方にかけて高くなるような傾斜をもつことを特徴とする請求項１に記載のフィルム装填装置。
【請求項３】
カムフォロアの端部がカム通路部の起点位置にある時に、主レバーのハンドル部が、軸支部に対して高い位置にあることを特徴とする請求項１もしくは２に記載のフィルム装填装置。
【請求項４】
パトローネ仮固定装置が、円盤状マグネットを前後に移動可能に収容する円筒部と、該円盤状マグネットを前後に移動させる補助レバーとから構成されていることを特徴とする請求項１乃至３のうちのいずれかの項に記載のフィルム装填装置。
【請求項５】
フィルム巻き取り装置が、後方端部から前方に延びるスリットを有し、軸回転が可能なように主レバーに固定されたフィルム巻き取り軸と、該フィルム巻き取り軸の前方の端部及び後方の端部に沿って配置されたフィルムガイドとからなるフィルム巻き取り部と、フィルム巻き取り軸の軸回転を駆動するモータ、該フィルム巻き取り軸とモータとを仮接合状態に置き、パトローネとフィルム巻き取り軸との間に所定値以上の負荷がかかった場合に、該フィルム巻き取り軸とモータとの仮接合を切り離す機能を有する仮接合装置とからなることを特徴とする請求項１乃至４のうちのいずれかの項に記載のフィルム装填装置。
【請求項６】
フィルム巻き取り軸とモータとの仮接合装置が、円盤状マグネットであることを特徴とする請求項５に記載のフィルム装填装置。
【請求項７】
カム通路部に、カムフォロアの端部の起点から、前方から後方へ、後方下側から後方上側へ、そして後方上側から前方下側へとの帰還移動のみを可能にするシャッタが備えられていることを特徴とする請求項１乃至６のうちのいずれかの項に記載のフィルム装填装置。
【発明の詳細な説明】
【技術分野】
【０００１】
本発明は、レンズ付きフィルムユニット容器へのフィルム装填装置に関する。
【背景技術】
【０００２】
撮影レンズやシャッタなどの簡単な撮影機構を備えた遮光性ケースに、写真フィルムを収容したレンズ付きフィルムユニット（例えば、商品名「写るんです」、富士写真フイルム（株）製）は、簡便な写真撮影機として広く利用されている。レンズ付きフィルムユニットは、フィルム巻き戻し機構を省略するために、一般に写真フィルムがパトローネからロール状に巻き出された状態でユニット内に収容されており、撮影終了毎に露光済みの写真フィルムをパトローネ本体内に巻き込む構造となっている。このような構造のレンズ付きフィルムユニットは、パトローネ収容部とフィルムロール収容部とを備えたレンズ付きのフィルムユニット容器に、フィルムロールとパトローネ本体とを装填し、次いでフィルムユニット容器内部を遮光するための蓋をすることにより製造されている。
【０００３】
特許文献１には、フィルムパトローネから写真フィルムを所定の長さだけロール状に巻き取ってフィルムロールを形成し、そのフィルムロールとパトローネ本体とを、フィルムユニット容器（ユニット本体部）に装填するまでの一連の工程を、暗箱内で自動的に行うことのできるフィルム装填装置が開示されている。
【特許文献１】特開平６−３３２１１８号公報
【発明の開示】
【発明が解決しようとする課題】
【０００４】
上述のフィルム装填装置は、レンズ付きフィルムユニットの大量生産には適した装置ということができるが、少量のレンズ付きフィルムユニットを製造するのに適した簡便なフィルム装填装置があれば望ましい。
従って、本発明の目的は、少量のレンズ付きフィルムユニットを製造するのに適したレンズ付きフィルムユニット容器へのフィルム装填装置を提供することにある。
【課題を解決するための手段】
【０００５】
本発明は、基台、基台の上面の後方に配置された、レンズ付きフィルムユニット容器を仮収容し、該容器に、パトローネとパトローネから引き出されたフィルムロールとを装填するフィルム装填部、基台の上面に前後に伸びるように配置されたレール部、レール上部に摺動可能に係合している支柱、支柱の上部に固定されたパトローネ仮固定装置、一方の端部がハンドル部を形成し、他方の端部が、支柱の上部に回転可能に軸支されて、基台の左右に伸びている主レバー、主レバーの該軸支部とハンドル部との中間位置に固定されたフィルム巻き取り装置、主レバーの該軸支部と同軸に一方の端部が軸支固定されたカムフォロア、そして基台の上面の側部に前後に伸びて配置された、カムフォロアの他方の端部を、起点から、基台に沿って前方から後方へ、後方下側から後方上側へ、そして後方上側から前方下側へとの帰還移動が可能なように案内するカム通路部を含むレンズ付きフィルムユニット容器へのフィルム装填装置にある。
【０００６】
本発明のフィルム装填装置の好ましい態様は、下記の通りである。
（１）基台の上面が、前方から後方にかけて高くなるような傾斜をもつ。
（２）カムフォロアの端部がカム通路部の起点位置にある時に、主レバーのハンドル部が、軸支部に対して高い位置にある。
（３）パトローネ仮固定装置が、円盤状マグネットを前後に移動可能に収容する円筒部と、該円盤状マグネットを前後に移動させる補助レバーとから構成されている。
（４）フィルム巻き取り装置が、後方端部から前方に延びるスリットを有し、軸回転が可能なように主レバーに固定されたフィルム巻き取り軸と、該フィルム巻き取り軸の前方の端部及び後方の端部に沿って配置されたフィルムガイドとからなるフィルム巻き取り部と、フィルム巻き取り軸の軸回転を駆動するモータ、該フィルム巻き取り軸とモータとを仮接合状態に置き、パトローネとフィルム巻き取り軸との間に所定値以上の負荷がかかった場合に、該フィルム巻き取り軸とモータとの仮接合を切り離す機能を有する仮接合装置とからなる。
（５）上記フィルム巻き取り軸とモータとの仮接合装置が、円盤状マグネットである。
（６）カム通路部に、カムフォロアの端部の起点から、前方から後方へ、後方下側から後方上側へ、そして後方上側から前方下側へとの帰還移動のみを可能とするシャッタが備えられている。
【発明の効果】
【０００７】
本発明のフィルム装填装置では、フィルムパトローネから写真フィルムを所定の長さだけ取り出し、これをロール状に巻き取ってフィルムロールを形成し、パトローネ本体とフィルムロールとをフィルムユニット容器に収容するまでの作業を、カムフォロアの移動を介して正確かつ簡易に行うことができる。従って、暗室内においても、確実にレンズ付きフィルムユニット容器にフィルムを装填することが可能となる。
【発明を実施するための最良の形態】
【０００８】
図１は、本発明のフィルム装填装置への使用に適したフィルムユニット本体（遮光ケース）の分解斜視図である。
フィルムユニット本体１は、フィルムユニット容器２とフィルムユニット蓋５とからなる。フィルムユニット容器２は、側部が開口したパトローネの収容部３とフィルムロールの収容部４とを備えている。フィルムユニット蓋５には、パトローネ収容部の側部開口部を開閉可能に閉じるパトローネ収容部蓋６と、フィルムロール収容部を開閉可能に閉じるフィルムロール収容部蓋７とを備えている。なお、側部に開口したパトローネの収容部３とフィルムロールの収容部４とを備えているフィルムユニット容器は公知であり、例えば、前記の特開平６−３３２１１８号公報にも記載されている。
【０００９】
次に、本発明のフィルム装填装置及びその装置を用いたフィルムユニット容器へのフィルム装填方法を、添付図面を参照しながら説明する。
図２は、本発明に従うフィルム装填装置を上方から見た図である。図２において、下側が装置の前方であり、上側が装置の後方である。
図３は、図２のフィルム装填装置の主レバー周辺の機構を後側から見た図である。
図４は、図２のフィルム装填装置の斜視図である。
図５は、図２のフィルム装填装置のカム通路部の機構を右側（カム通路部の固定具側）から見た図である。
【００１０】
フィルム装填装置１０は、基台１１、基台の上面の後方に配置された、フィルムユニット容器２を仮収容し、該容器に、パトローネとパトローネから引き出されたフィルムロールとを装填するフィルム装填部２０、基台の上面に前後に伸びるように配置されたレール部３０、レール上部に摺動可能に係合している支柱３１、支柱３１の上部に固定されたパトローネ仮固定装置４０、一方の端部がハンドル部５１を形成し、他方の端部（軸支部）５２が、支柱の上部に回転可能に軸支されて、基台の左右に伸びている主レバー５０、主レバーの軸支部５２とハンドル部５１との中間位置に固定されたフィルム巻き取り装置６０、主レバー軸支部５２と同軸に一方の端部（軸支部）７１が軸支されたカムフォロア７０、そして基台の上面の側部に前後に伸びて配置された、カムフォロア７０の他方の端部（カム通路係合部）７２を、起点から、基台に沿って前方から後方へ、後方下側から後方上側へ、そして後方上側から前方下側へとの帰還移動が可能なように案内するカム通路部８０からなる。
【００１１】
基台１１の上面は、前方から後方にかけて高くなるような傾斜をもつことが好ましい（図４及び図５を参照）。基台１１に傾斜をもたせることにより、支柱３１はレール部３０の前方にある状態で安定する。基台１１の傾斜角度は、１〜３０度の範囲にあることが好ましく、２〜１０度の範囲にあることがより好ましく、約５度であることが特に好ましい。基台１１の表面には、支柱３１が、レール部３０の前方に外れないように支柱ストッパー３２が設置されていることが好ましい。
【００１２】
フィルム装填部２０は、容器２を前後方向と左右方向から挟むように配置された容器位置決め枠２１、左右方向に配置された容器位置決め枠２１の内側に配置された容器受板２２及び容器位置決め係合ピン２３から構成されている。フィルムユニット容器２は、パトローネ収容部３とフィルムロール収容部４との側面開口部がそれぞれ前方を向くように収容される。
【００１３】
パトローネ仮固定装置４０は、円盤状マグネット４１とマグネット支持棒４２とを収容する円筒部４３と、補助レバー４４とから構成されている。補助レバー４４を、補助レバー軸４５を中心にして回転させることにより、円盤状マグネット４１が前後に移動するようになっている。これにより、３５ｍｍ写真フィルムのパトローネのような金属製のパトローネの固定が可能になる。
【００１４】
フィルム巻き取り装置６０は、後方端部から前方に延びるスリット６２を有し、軸回転が可能なように主レバー５０に固定されたフィルム巻き取り軸６１と、該フィルム巻き取り軸の前方の端部及び後方の端部に沿って配置されたフィルムガイド６３とからなるフィルム巻き取り部と、フィルム巻き取り軸の軸回転を駆動するモータ６４、フィルム巻き取り軸６１とモータ６４とを仮接合状態に置き、パトローネとフィルム巻き取り軸との間に所定値以上の負荷がかかった場合に該フィルム巻き取り軸とモータとの仮接合を切り離す機能を有する仮接合装置６５とから構成されている。仮接合装置６５がフィルム巻き取り軸６１とモータ６４とを切り離すときの負荷は、フィルムを巻き出し中のパトローネ内に固定されたフィルム後端部をパトローネから脱着するのに要する力よりも弱い力とすることが好ましい。仮接合装置６５には、円盤状マグネットなどの公知の装置を用いることができる。
【００１５】
フィルム巻き取り軸６１は、巻き取り軸回転ノブ６６により手動でも回転できるようにされている。
モータ６４の駆動スイッチ６７ａ、６７ｂは、基台１１の左右方向の両端部に設置されていて、安全上の理由から両方のスイッチを入れないとモータが駆動しないようになっている。
【００１６】
フィルムガイド６３は、主レバー５０に固定されたフィルムガイド支柱９０に回転可能に軸支されたフィルムガイド固定具９１の端部に固定されている。フィルムガイド６３の回転範囲は、フィルムガイド固定具９１のフィルムガイド６３側と反対の端部に固定された回転規制棒９２と、その回転規制棒９２の移動領域を制限するための溝部９４が形成されている回転規制棒受具９３とにより制御される。
【００１７】
主レバー５０の軸支部（基部）５２とカムフォロア７０の軸支部（基部）７１は、それぞれパトローネ仮固定装置４０の円筒部４３に回転可能に軸支されている。主レバー軸支部５２とカムフォロア軸支部７１とは互いに固定されている。すなわち、主レバー５０のハンドル部５１を下降させるとカムフォロア７０のカム通路係合部７２が上昇するようになっている。主レバー軸支部５２とカムフォロア軸支部７１との角度は、９０〜１８０度の範囲にあることが好ましく、１２０〜１８０度の範囲にあることがより好ましい。
【００１８】
主レバー５０のハンドル部５１は、カムフォロア７０のカム通路係合部７２が起点位置にある時に、軸支部に対して高い位置にあることが好ましい。主レバー５０は基台１１に対して、１０〜４５度の角度で傾斜して設けられていることが好ましい。主レバー５０の傾斜角度は、２０〜４０度の範囲にあることがより好ましく、約３０度であることが特に好ましい。
【００１９】
カム通路部８０は、カム通路案内板８１とカム通路案内板８１を基台１１に固定するための固定具８２から構成されている。カム通路案内板８１と固定具８２には、それぞれ、カムフォロアの他方の端部を、起点から、基台１１に沿って前方から後方へ、後方下側から後方上側へ、そして後方上側から前方下側へとの帰還移動が可能なように案内するカム通路８３が形成されている。カム通路案内板８１のカム通路８３で囲まれた領域８１ａは、連結具８４を介して固定具８２に固定されている。
【００２０】
カム通路部の好ましい態様を、図５を参照しながら説明する。
カム通路部８０には、カムフォロア７０のカム通路係合部７２の起点Ａから、前方から後方へ、後方下側Ｂから後方上側Ｃへ、そして後方上側Ｃから前方下側Ｄへとの帰還移動のみを可能にするシャッタ８５が設けられていることが好ましい。シャッタ８５は、ビス８６とバネ８７とにより、起点Ａ側の端部が下方にのみ回転移動するようにされている。すなわち、カムフォロア７０のカム通路係合部７２は、カム通路８３の前方下側Ｄから後方上側Ｃには移動できないように規制されている。
カム通路８３の後方側上部Ｃには、凹部８３ａを設けて、カムフォロアのカム通路係合部７２を凹部８３ａに仮固定できるようにすることが好ましい。
【００２１】
次に、図６を参照して、上記のフィルム装填装置を用いたフィルムユニット容器へのフィルム装填方法について説明する。
【００２２】
まず、図６（ａ）に示すように、パトローネ仮固定装置４０に、パトローネ１００を仮固定する。パトローネ１００は、前述の円盤状マグネット４１により仮固定される。次に、フィルム巻き取り軸６１を前述の巻き取り軸回転ノブにより、パトローネ１００から引き出されたフィルム１０１の先端部が入りやすい位置に合わせる。
【００２３】
次いで、図６（ｂ）に示すように、フィルム先端部をフィルムガイドに沿ってスリット６２に挿入する。ここで、フィルム巻き取り軸６１のスリット６２の好ましい形状について、図７を用いて説明する。
【００２４】
図７は、フィルム巻き取り軸６１を、先端部（後方端部）から見た図である。図７に示すように、スリット６２の内部には、突起６８を設けて、スリットに挿入した写真フィルム１０１の先端部が、スリットから飛び出さないようにすることが好ましい。
【００２５】
次に、モータ６４を回転させて、フィルム巻き取り軸６１に写真フィルム１０１を巻き付けて、フィルムロールを形成する。
【００２６】
巻き取り終了後、カムフォロア７０のカム通路係合部７２がカム通路８３の後方端部（図５のＢ）に至るまで、主レバー５０のハンドル部を装置後方に移動する。これにより、予めフィルム装填部２０に収容したユニット容器２のパトローネ収容部にパトローネが装填される（図８を参照）。
【００２７】
次に、図９に示すように、カムフォロア７０のカム通路係合部７２がカム通路８３の後方上端部（図５のＣ）に至るまで、主レバー５０のハンドル部５１を下方に移動する。これにより、フィルムロール１０２はフィルム巻き取り軸６１とともに容器２のフィルムロール収容部に装填される。このとき、フィルムガイド６３はユニット容器位置決め枠２１に抑えられ、フィルムガイド支柱９０を中心として、上方に回転移動した状態となる。
【００２８】
次に、主レバーのハンドル部を下方に移動した状態のまま、装置前方に主レバーのハンドル部を移動して、フィルムロールからフィルム巻き取り軸を抜き取る。こうして、ユニット容器への写真フィルムの装填が終了する。そして、カムフォロアのカム通路係合部が、カム通路の前方下部（図５のＤ）を通って、起点部（図５のＡ）に至るように、主レバーのハンドル部を移動する。
【００２９】
本発明のフィルム装填装置を用いたレンズ付きフィルムユニットの製造装置の一例を図１０に示す。
図１０において、フィルム装填装置１０は、暗箱１１０に収容されている。暗箱１１０内のフィルム装填装置１０の上方には、ＣＣＤカメラ（図示せず）が設置されていて、フィルム装填装置の状態をモニター１１１で見ながら作業できるようにされている。暗箱１１０の暗箱前方部１１３には、作業者が作業するための遮光性手袋１１４が付設されている。また、暗箱前方部１１３は、ヒンジ１１２により開閉可能となっていて、作業に必要なフィルムユニット容器、フィルムユニット蓋及びパトローネを入れたり、暗室内で組み立てられたレンズ付きフィルムユニットを外部に取り出したりできるようになっている。
【図面の簡単な説明】
【００３０】
【図１】本発明のフィルム装填装置の使用に適したフィルムユニットの分解斜視図である。
【図２】本発明に従うフィルム装填装置を上側から見た図である。
【図３】図２のフィルム装填装置を主レバー周辺の機構を後側から見た図である。
【図４】図２のフィルム装填装置の斜視図である。
【図５】図２のフィルム装填装置カム通路部の機構を右側から見た図である。
【図６】パトローネ仮固定装置にフィルムパトローネを固定して、フィルム巻き取り軸に写真フィルムを巻き取るまでの作業を説明する図である。
【図７】フィルム巻き取り軸のスリットの好ましい態様を説明する図である。
【図８】フィルムユニット容器にフィルムパトローネを装填する作業を説明する図である。
【図９】フィルムユニット容器にフィルムロールを装填する作業を説明する図である。
【図１０】本発明のフィルム装填装置を用いたレンズ付きフィルムユニットの製造装置を示す図である。
【符号の説明】
【００３１】
１  フィルムユニット本体
２  フィルムユニット容器
３  パトローネ収容部
４  フィルムロール収容部
５  フィルムユニット蓋
６  パトローネ収容部蓋
７  フィルムロール収容部蓋
１０  フィルム装填装置
１１  基台
２０  フィルム装填部
２１  ユニット容器位置決め枠
２２  ユニット容器受板
２３  ユニット容器位置決め係合ピン
３０  レール部
３１  支柱
３２  支柱ストッパー
４０  パトローネ仮固定装置
４１  円盤状マグネット
４２  マグネット支持棒
４３  円筒部
４４  補助レバー
４５  補助レバー軸
５０  主レバー
５１  ハンドル部
５２  主レバー軸支部
６０  フィルム巻き取り装置
６１  フィルム巻き取り軸
６２  スリット
６３  フィルムガイド
６４  モータ
６５  仮接合装置
６６  巻き取り軸回転ノブ
６７ａ、６７ｂ  モータ駆動スイッチ
６８  突起
７０  カムフォロア
７１  カムフォロア軸支部
７２  カム通路係合部
８０  カム通路部
８１  カム通路案内板
８２  固定具
８３  カム通路
８４  連結具
８５  シャッタ
８６  ビス
８７  バネ
９０  フィルムガイド支柱
９１  フィルムガイド固定具
９２  回転規制棒
９３  回転規制棒受具
９４  溝部
１００  パトローネ
１０１  写真フィルム
１０２  フィルムロール
１１０  暗箱
１１１  モニター
１１２  ヒンジ
１１３  暗箱前方部
１１４  遮光性手袋
【図１】
2005196037.tif 000003
【図２】
2005196037.tif 000004
【図３】
2005196037.tif 000005
【図４】
2005196037.tif 000006
【図５】
2005196037.tif 000007
【図６】
2005196037.tif 000008
【図７】
2005196037.tif 000009
【図８】
2005196037.tif 000010
【図９】
2005196037.tif 000011
【図１０】
2005196037.tif 000012